(57)【要約】      （修正有）【課題】戒名等の記載を見やすくするとともに、その記載量を増やすことができる墓誌を提供する。【解決手段】各支持柱３が、支持台２の上に所定の間隔を開けて設けられている。蓋部材７が、各支持柱３で支持されるよう各支持柱３の上部に設けられている。各回転柱５が、それぞれ長さ方向に沿って伸びる複数の表示面１１を有している。各回転柱５は、長さ方向に沿った回転軸を上下方向にして各支持柱３の間に等間隔で配置されるよう、それぞれ支持台２に回転軸を中心として回転可能に保持されている。運動伝達機構が、各回転柱５の対応する表示面１１が同じ方向を向くよう、各回転柱５を同時に回転可能に各回転柱５を連結している。操作部８が蓋部材７に回転可能に設けられ、回転柱５を回転軸を中心として回転可能である。【選択図】図１
0003143453.tif 000002
【実用新案登録請求の範囲】
【請求項１】
支持台と１対の支持柱と蓋部材と複数の回転柱と操作部と運動伝達機構とを有し、
各支持柱は互いに並列に間隔をあけて前記支持台の上に立てられ、
前記蓋部材は各支持柱で支持され、
各回転柱はその長さ方向に沿った回転軸を有し、各回転軸を中心として回転可能に両端が前記支持台と前記蓋部材とで保持されて各支持柱の間にそれぞれ並列に設けられ、
前記運動伝達機構は各回転柱を連結し、各回転柱を各回転軸を中心として同時に回転させる構成を有し、
前記操作部は前記蓋部材、前記支持柱または前記支持台に設けられ、前記回転柱を前記回転軸を中心として回転させる構成を有することを、
特徴とする墓誌。
【請求項２】
前記運動伝達機構がリンク部材を有し、前記リンク部材は各回転柱の回転軸から垂直方向にそれぞれ等距離の位置で各回転軸と平行な回転軸を中心として回転可能に各回転柱の上部に取り付けられ、
前記蓋部材が前記リンク部材の上部を覆っていることを、
特徴とする請求項１記載の墓誌。
【請求項３】
前記蓋部材が各支持柱に着脱可能に設けられ、
各回転柱が前記支持台および前記蓋部材に対し着脱可能に設けられ、
前記運動伝達機構が各回転柱に着脱可能に取り付けられていることを、
特徴とする請求項２記載の墓誌。
【考案の詳細な説明】
【技術分野】
【０００１】
本考案は、墓誌に関する。
【背景技術】
【０００２】
一般的な墓誌は、石板の表側および裏側に、亡くなった人の氏名や戒名、事跡、経歴、没年月日等を記載してある。しかし、この一般的な墓誌は、表側が墓の外柵の内側を向いているため、裏側が墓の正面側から見にくいという問題があった。特に、墓の敷地が狭い場合には、裏面を見ることができないこともある。
【０００３】
この問題を解決するために、柱状形に形成され、その長さ方向に沿った軸を中心として回転可能に立てて設置される墓誌が提案されている（例えば、特許文献１参照）。この墓誌は、設置スペースを小さくするとともに、軸を中心として回転させることにより、側面に記載された戒名等を正面から見ることができるようになっている。
【０００４】
【特許文献１】実開平２−７７２５７号公報
【考案の開示】
【考案が解決しようとする課題】
【０００５】
しかしながら、特許文献１記載の墓誌では、１本の柱状形のため、石板から成る一般的な墓誌より戒名等の記載スペースが小さく、その記載量が限定されるという課題があった。
【０００６】
本考案は、このような課題に着目してなされたもので、戒名等の記載を見やすくするとともに、その記載量を増やすことができる墓誌を提供することを目的とする。
【課題を解決するための手段】
【０００７】
上記目的を達成するために、本考案に係る墓誌は、支持台と１対の支持柱と蓋部材と複数の回転柱と操作部と運動伝達機構とを有し、各支持柱は互いに並列に間隔をあけて前記支持台の上に立てられ、前記蓋部材は各支持柱で支持され、各回転柱はその長さ方向に沿った回転軸を有し、各回転軸を中心として回転可能に両端が前記支持台と前記蓋部材とで保持されて各支持柱の間にそれぞれ並列に設けられ、前記運動伝達機構は各回転柱を連結し、各回転柱を各回転軸を中心として同時に回転させる構成を有し、前記操作部は前記蓋部材、前記支持柱または前記支持台に設けられ、前記回転柱を前記回転軸を中心として回転させる構成を有することを、特徴とする。
【０００８】
本考案に係る墓誌は、各回転柱に、亡くなった人の氏名や戒名、事跡、経歴、没年月日等を記載して使用される。各回転柱は、その長さ方向に沿った回転軸を中心として回転可能なため、回転させることにより表側以外の面も正面に向けることができる。このため、墓の正面側から戒名等を見やすい。また、各回転柱の表側以外の面にも故人の事跡等を記載することができるので、その記載量を増やすことができる。
さらに、操作部を操作すれば、運動伝達機構により各回転柱を同時に回転させ、各回転柱の表示を一度で変えることができる。
【０００９】
各回転柱は、任意の形状により構成することができ、例えば、細長い板状で表面および裏面に表示できるもの、多角柱状で各面に表示できるもの、円柱状で所定の中心角の範囲ごとに表示できるものなどが好ましい。
【００１０】
本考案に係る墓誌は、前記運動伝達機構がリンク部材を有し、前記リンク部材は各回転柱の回転軸から垂直方向にそれぞれ等距離の位置で各回転軸と平行な回転軸を中心として回転可能に各回転柱の上部に取り付けられ、前記蓋部材が前記リンク部材の上部を覆っていることが好ましい。この場合、リンク部材により、操作部の操作を各回転柱に効果的に伝達することができる。蓋部材は運動伝達機構を覆うので、埃や泥などが運動伝達機構に付着して動きが悪くなるのを防ぐことができる。
【００１１】
本考案に係る墓誌は、前記蓋部材が各支持柱に着脱可能に設けられ、各回転柱が前記支持台および前記蓋部材に対し着脱可能に設けられ、前記運動伝達機構が各回転柱に着脱可能に取り付けられていることが好ましい。この場合、蓋部材および運動伝達機構を外して、各回転柱を個別に取り外すことができる。このため、戒名等を記載するとき、必要な回転柱のみを外して作業を行うことができ、効率的である。また、汚れたり割れたりした回転柱のみを交換することができ、経済的である。
【考案の効果】
【００１２】
本考案によれば、戒名等の記載を見やすくするとともに、その記載量を増やすことができる墓誌を提供することができる。
【考案を実施するための最良の形態】
【００１３】
以下、図面に基づき本考案の実施の形態について説明する。
図１および図２は、本考案の実施の形態の墓誌を示している。
図１および図２に示すように、墓誌１は、支持台２と１対の支持柱３と背面部材４と複数の回転柱５と運動伝達機構６と蓋部材７と操作部８とを有している。
【００１４】
図１に示すように、支持台２は、石製で、所定の厚さを有する矩形板状を成している。支持台２は、上面の幅方向の中心位置に、長さ方向に沿って一端部から他端部にかけて伸びる溝部（図示せず）を有している。
各支持柱３は、石製で、所定の厚さを有する細長い矩形板状を成している。各支持柱３は、支持台２の上の両端部に、所定の間隔を開けて垂直方向に伸びるよう設けられている。各支持柱３は、厚さ方向が支持台２の長さ方向に対して平行になるよう設けられている。
図２に示すように、背面部材４は、石製で、薄い矩形板状を成している。背面部材４は、各支持柱３の同じ側の側縁に沿って、各支持柱３の間を塞ぐよう、支持台２の上に設けられている。
【００１５】
図１および図２に示すように、各回転柱５は、石製で、薄くて細長い矩形板状を成している。各回転柱５は、それぞれ表面および裏面が、長さ方向に沿って伸びる表示面１１を成している。各回転柱５は、その長さ方向に沿った中心に回転軸を有する。各回転柱５は、回転軸を上下方向にして、各支持柱３の間に等間隔で並列に配置されている。各回転柱５は、下端が支持台２の溝部に挿入されて支持台２の上に立てられている。各回転柱５は、回転軸を中心として回転可能に両端が支持台２と蓋部材７とで保持されている。各回転柱５は、支持台２および蓋部材７に対し着脱可能である。なお、具体的な一例では、各回転柱５は、１０枚から成っている。
【００１６】
図２に示すように、運動伝達機構６は、１対の回転部材１２と１対のリンク部材１３とを有している。各回転部材１２は、細長く、各回転柱５の並び方向の延長線上に位置する各支持柱３の上部に、中心位置を軸として水平面内で回転可能に設けられている。各リンク部材１３は、ステンレス製で、細長い棒状を成し、両端およびその間に等間隔で、同じ側に突出した複数の連結突起１４を有している。各リンク部材１３は、両端の連結突起１４が、各回転部材１２のそれぞれの端部に水平面内で回転可能に取り付けられている。各リンク部材１３は、各回転柱５を両側から挟んでいる。各リンク部材１３は、連結突起１４が各回転柱５の回転軸と平行な回転軸を中心として回転可能に、各回転柱５の上部に取り付けられている。
【００１７】
それぞれのリンク部材１３の連結突起１４は、各回転柱５の幅方向および各回転体の長さ方向を互いに平行になるよう揃えたとき、各回転柱５および各回転体の同じ側の端部に取り付けられている。また、それぞれのリンク部材１３の連結突起１４は、各回転部材１２の回転中心および各回転柱５の上部の回転軸から垂直方向にそれぞれ等距離の位置に取り付けられている。これにより、運動伝達機構６は、各回転柱５の対応する表示面１１が同じ方向を向くよう、各回転柱５を各回転軸を中心として同時に回転可能に連結している。運動伝達機構６は、各回転柱５に着脱可能に取り付けられている。
【００１８】
図１に示すように、蓋部材７は、石製で、薄い矩形板状を成している。蓋部材７は、支持台２と同じ大きさの平面形状を成し、裏面の幅方向の中心位置に、長さ方向に沿って一端部から他端部にかけて伸びる凹部（図示せず）を有している。また、蓋部材７は、裏面の凹部に対応する表面の位置が、滑らかに盛り上がった凸形状を成している。蓋部材７は、各支持柱３および背面部材４の上部に着脱可能に設けられ、各支持柱３および背面部材４で支持されている。蓋部材７は、凹部の内側に運動伝達機構６を収納可能に設けられ、運動伝達機構６の上方および側方を覆っている。
【００１９】
操作部８は、蓋部材７の中心位置に、各回転柱５の回転軸と平行な回転軸を中心として回転可能に取り付けられている。操作部８は、蓋部材７を貫通し、１つの回転柱５の回転軸に歯車を介して回転運動を伝達可能に接続されている。これにより、操作部８を回転させたとき、運動伝達機構６は各回転柱５を各回転軸を中心として同時に回転させるようになっている。
【００２０】
次に、作用について説明する。
墓誌１は、各回転柱５の表示面１１に、亡くなった人の氏名や戒名、事跡、経歴、没年月日等を記載して使用される。また、墓誌１は、背面部材４とは反対側を正面として、墓参りなどの際に正面から見えやすくするよう設置される。各回転柱５が、それぞれ支持台２に、長さ方向に沿った軸を中心として回転可能に支持されているため、各回転柱５を回転させることにより、各表示面１１を正面に向けることができる。このため、各表示面１１に記載された戒名等を墓の正面側から見やすい。
【００２１】
運動伝達機構６が、各回転柱５の対応する表示面１１が同じ方向を向くよう、各回転柱５を同時に回転可能に各回転柱５を連結しているため、各回転柱５の対応する表示面１１を同時に正面に向けることができる。このため、各回転柱５の対応する表示面１１に、戒名や経歴などの同種の表示を記載したり、一つの表示面１１に記載しきれない一連の表示を複数の回転柱５にわたって記載したりしたとき、それらの表示を同時に正面から見ることができる。このように、各回転柱５が独立して回転する場合と異なり、各回転柱５の記載を同時に正面に向けることができる。
【００２２】
各回転柱５がそれぞれ表面および裏面の２つの表示面１１を有するため、１本の円柱状の墓誌１に比べ、戒名等の記載量を増やすことができる。操作部８を操作すれば、運動伝達機構６により各回転柱５を同時に回転させ、各回転柱５の表示を一度で変えることができる。また、蓋部材７は運動伝達機構６を覆うので、埃や泥などが運動伝達機構６に付着して動きが悪くなるのを防ぐことができる。蓋部材７、運動伝達機構６および各回転柱５が着脱可能であるため、蓋部材７および運動伝達機構６を外して、各回転柱５を個別に取り外すことができる。このため、戒名等を記載するとき、必要な回転柱５のみを外して作業を行うことができ、効率的である。また、汚れたり割れたりした回転柱５のみを、容易に交換することもできる。
【００２３】
なお、各回転柱５は、三角柱や六角柱など、多角柱状で各面に表示面１１を有するものであってもよい。また、円柱状で所定の中心角の範囲ごとに表示面１１を有するものであってもよい。これらの場合にも、１本の円柱状の墓誌１に比べ、戒名等の記載量を増やすことができる。
【図面の簡単な説明】
【００２４】
【図１】本考案の実施の形態の墓誌を示す（ａ）正面図、（ｂ）側面図である。
【図２】図１に示す墓誌の蓋部材を外したときの端面を示す平面図である。
【符号の説明】
【００２５】
１    墓誌
２    支持台
３    支持柱
４    背面部材
５    回転柱
６    運動伝達機構
７    蓋部材
８    操作部
１１  表示面
１２  回転部材
１３  リンク部材
１４  連結突起
【図１】
0003143453.tif 000003
【図２】
0003143453.tif 000004